(57)【特許請求の範囲】
【請求項１】
ＡＬＣパネル（１）の表面側端部（１０）に他のＡＬＣパネル（２）の側面（１１）が突き合わされて直角のコーナー部が形成され、各ＡＬＣパネル（１，２）は取付金具（３）を介して躯体（４）に取り付けられている立上りＡＬＣ壁コーナー部の取付構造であって、各ＡＬＣパネル（１，２）の下部と中間部が、そのＡＬＣパネル（１，２）に埋設されたアンカー部（５，６）とそれと係合する取付金具（３）とを介して躯体（４）に取り付けられており、前記取付金具（３）は、ボルト挿通部（１８）が設けられた取付板（１３）と、その上部が延長して形成されている突出片（１４）と、この取付板（１３）の両側縁が折り曲げられて形成されたリブ片（１５）と、そのリブ片がさらに下方に垂下して形成されている垂下リブ片（１６）とから構成され、この垂下リブ片（１６）が躯体（４）の垂直フランジ部（１７）に溶接固定されており、また各ＡＬＣパネル（１，２）の上端面（１２）には縦孔（８）が開けられその開けられた後の縦孔（８）に係止棒（２１）が挿入されているとともに、係止棒（２１）の基端側には溶接プレート（２８）が一体的に固定されそれがＡＬＣパネル（１，２）の上端面（１２）に当接しており、この係止棒同士が前記溶接プレート（２８）に溶接固定された鋼材（７）で連結されていることを特徴とする立上りＡＬＣ壁コーナー部の取付構造。
【請求項２】
前記係止棒（２１）は前記縦孔（８）よりも若干小さい外径を持ったものであり、係止棒（２１）の先端はプレス等により数個の突起（２７）を突設させたものであり、これらの突起（２７）は、係止棒（２１）を縦孔（８）に挿入した際に突起（２７）の先端部が縦孔（８）の内周壁面にくい込み得るような高さに設定されている請求項１記載の立上りＡＬＣ壁コーナー部の取付構造。
【請求項３】
各ＡＬＣパネル（１，２）の上端面（１２）の縦孔（８）の入口部には、前記溶接プレート（２８）が嵌入し得る凹所（２９）が穿設されている請求項１又は２記載の立上りＡＬＣ壁コーナー部の取付構造。
【請求項４】
各ＡＬＣパネル（１，２）はその横幅方向の中心部のみでかつ高さ方向の下部寄りと中間部との２カ所のみで前記取付金具（３）によって躯体（４）に取り付けられている請求項１、２又は３記載の立上りＡＬＣ壁コーナー部の取付構造。
【請求項５】
ＡＬＣパネル（１）の表面側端部（１０）に他のＡＬＣパネル（２）の側面（１１）が突き合わされて直角のコーナー部が形成され、各ＡＬＣパネル（１，２）は取付金具（３）を介して躯体（４）に取り付けられている立上りＡＬＣ壁コーナー部の取付構造であって、各ＡＬＣパネル（１，２）の上端面（１２）同士が鋼材（７）で連結されており、各ＡＬＣパネル（１，２）はその横幅方向の中心部のみでかつ高さ方向の下部と中間部との２カ所のみで、そのＡＬＣパネル（１，２）に埋設されたアンカー部（５，６）とそれと係合する取付金具（３）とを介して躯体（４）に取り付けられており、前記取付金具（３）は、ボルト挿通部（１８）が設けられた取付板（１３）と、その上部が延長して形成されている突出片（１４）と、この取付板（１３）の両側縁が折り曲げられて形成されたリブ片（１５）と、そのリブ片がさらに下方に垂下して形成されている垂下リブ片（１６）とから構成され、この垂下リブ片（１６）が躯体（４）の垂直フランジ部（１７）に溶接固定されていることを特徴とする立上りＡＬＣ壁コーナー部の取付構造。
【請求項６】
前記鋼材（７）は、コーナー部のＡＬＣパネル（１，２）の上端面（１２）に沿ってＬ型に折れ曲がった平板鋼（２０）であり、かつＬ型の一方の辺の長さが他の辺の長さよりも長い請求項１〜５のいずれか一項に記載の立上りＡＬＣ壁コーナー部の取付構造。
【請求項７】
前記鋼材（７）は、長方形又は三角形の平鋼板である請求項１〜５のいずれか一項に記載の立上りＡＬＣ壁コーナー部の取付構造。
【請求項８】
ベランダ、バルコニー、パラペット、廊下、階段のコーナー部に適用される請求項１〜７のいずれか一項に記載の立上りＡＬＣ壁コーナー部の取付構造。
【発明の詳細な説明】
【０００１】
【発明の属する技術分野】
本発明はバルコニー、ベランダ、パラペット、廊下、階段等に好適な立上りＡＬＣ壁コーナー部の取付構造に関する。詳しくはコーナーパネルを使用せず、かつ、ＡＬＣパネルのみを使用しておりながら十分な強度を持ち、かつ少ない部材で容易に取り付けることができる立上りＡＬＣ壁コーナー部の取付構造に関するものである。
【０００２】
【従来の技術】
ＡＬＣ壁パネルの下部と中間部のみを支持してそのＡＬＣ壁パネルを躯体に取り付ける立上りＡＬＣ壁構造が知られている。この構造はＡＬＣパネル上端や側面を鋼材や柱等で支持する必要がないため、少ない支持部材で容易に取り付けることができる構造として注目されており、特にベランダ、バルコニー等に好適である。また、このような立上りＡＬＣ壁の構造は壁パネルのコーナー部にも適用される。しかし、コーナー部においては双方向の複雑な荷重が各パネルにかかるとともに、ＡＬＣパネルは一般のコンクリートパネルに比較して強度が低いため、その躯体への取付構造などについて強固な剛構造が採られている。
【０００３】
その剛構造の１例として、図５に示すように、コーナー部には平板状のＡＬＣ壁パネル７１と別個にＬ型コーナーパネル７２がＡＬＣ壁パネル７１に挟まれるように取り付けられる。また、そのＬ型コーナーパネル７２はかなりの強度が必要であるため、ＡＬＣ壁パネル７１とは材質が異なり、ＡＬＣ壁パネル７１より重くてかつ堅く、また気泡も少ないＬ型の軽量コンクリート製コーナーパネル７２が採用される場合が多い。
そして、コーナーパネル７２は、直角に形成された内側各面の下部７３と中間部７４との合計４か所で、イナズマプレート７５とボルト７６とから成る取付金具によって躯体７７に強固に取り付けられる。さらに、両側のＡＬＣ壁パネル７１においても、それぞれ下部７３と中間部７４との合計４か所で取り付けられて、強固な取付構造を構成している。
【０００４】
【発明が解決しようとする課題】
しかし、このようなコーナー部の取付構造では、１つのコーナーパネル７２やそれに連設される壁パネル７１に４個の取付金具が必要になり、またその取付作業面も大変である。したがって、少ない部材で容易に取り付けることができるという立上りＡＬＣ壁パネルの取付構造の優位点を、コーナー部の取付構造が半減させてしまうという問題点があった。しかも、前記の軽量コンクリートを材料とした特殊なコーナーパネルは製造が容易でないため、一般にコストが非常に高いという問題点もあった。更に、その軽量コンクリートはＡＬＣより一般に１．５倍程度の重量があるため、その分躯体の強度をより高いものにしなければならないのみならず、取付作業が大変であった。
【０００５】
したがって、本発明の目的は、以上の従来の問題点をなくし、立上り壁コーナー部にＬ字型コーナーパネルを用いないで、平板状のＡＬＣ壁パネルのみで構成し、少ない部材で容易に取り付けることができ、しかも十分な取付強度をもった構造を提供することにある。そして、総合的にコストを大幅に削減することのできる立上り壁コーナー部の取付構造を提供することにある。
【０００６】
【課題を解決するための手段】
以上のような課題を解決する本発明は次のような構造からなる。すなわち、ＡＬＣパネルの表面側端部に他のＡＬＣパネルの側面が突き合わされて直角のコーナー部が形成され、各ＡＬＣパネルは取付金具を介して躯体に取り付けられている立上りＡＬＣ壁のコーナー部取付構造であって、各ＡＬＣパネルの下部と中間部が、そのＡＬＣパネルに埋設されたアンカー部とそれと係合する取付金具とを介して躯体に取り付けられており、前記取付金具は、ボルト挿通部が設けられた取付板と、その上部が延長して形成されている突出片と、この取付板の両側縁が折り曲げられて形成されたリブ片と、そのリブ片がさらに下方に垂下して形成されている垂下リブ片とから構成され、この垂下リブ片が躯体の垂直フランジ部に溶接固定されており、また各ＡＬＣパネルの上端面には縦孔が開けられその開けられた後の縦孔に係止棒が挿入されているとともに、係止棒の基端側には溶接プレートが一体的に固定されそれがＡＬＣパネルの上端面に当接しており、この係止棒同士が前記溶接プレートに溶接固定された鋼材で連結されている立上りＡＬＣ壁コーナー部の取付構造である。
ここで、前記係止棒は前記縦孔よりも若干小さい外径を持ったものであり、係止棒の先端はプレス等により数個の突起を突設させたものであり、これらの突起は、係止棒を縦孔に挿入した際に突起の先端部が縦孔の内周壁面にくい込み得るような高さに設定されていることが好ましい。
また、各ＡＬＣパネルの上端面の縦孔の入口部には、前記溶接プレートが嵌入し得る凹所が穿設されていることが好ましい。
【０００７】
以上の本発明においては、コーナー部を形成する各ＡＬＣパネルの上部小口面にそれぞれ縦孔が開けられ、その縦孔に係止棒が挿入され、係止棒の基端側には溶接プレートが一体的に固定されそれがＡＬＣパネルの上端面に当接しており、この係止棒同士が前記溶接プレートに溶接固定された鋼材で連結されることにより、コーナー部のＡＬＣパネル同士が強固に連結される。その際、それぞれのパネルにかかる外圧力はパネル上端面から鋼材を介して他方のパネルに伝達されるため、ＡＬＣパネル同士の突き合わせ部を開くような余計な力がかからないように力が伝達される。また、このように片方のパネルにかかる外圧力をコーナー両側のＡＬＣパネルで支えるので、パネルの強度は十分なものとなる。
【０００８】
したがって、本発明においては、下部と中間部のみで躯体に取り付けられる立上りＡＬＣ壁パネルの優位性を保ちながら、ＡＬＣ壁コーナー部においてＬ字型コーナーパネルを用いないで、しかもパネルの材料をＡＬＣパネルのみで構成することができる。取付方法も壁パネル部分と全く同じ方法で良く、また、コーナー部のパネル突き合わせ部分の上面を金具で連結するのみで良いので、パネル上面全体や側面全体を長い鋼材や柱等で支持する必要がなく、少ない部材で容易に取り付けることができる。
【０００９】
またアンカー部は、長尺の山形鋼の少なくとも中心部にナットが１個固着されており、その山形鋼の長さがＡＬＣパネルの横幅の１／３以上の長さであると、パネルのナット周辺部分のみに力が集中することがなくなるため、パネルの取付強度も大幅に向上するようになる。さらに、ＡＬＣパネルの上端面同士が鋼材で連結されていることにより、各ＡＬＣパネルをその横幅方向の中心部のみでかつ高さ方向の下部と中間部との２カ所のみで躯体に取り付ける構造としても十分な取付強度が得られ、取付金具およびその取付作業を半減できる。
従って、別の本発明は、ＡＬＣパネルの表面側端部に他のＡＬＣパネルの側面が突き合わされて直角のコーナー部が形成され、各ＡＬＣパネルは取付金具を介して躯体に取り付けられている立上りＡＬＣ壁コーナー部の取付構造であって、各ＡＬＣパネルの上端面同士が鋼材で連結されており、各ＡＬＣパネルはその横幅方向の中心部のみでかつ高さ方向の下部と中間部との２カ所のみで、そのＡＬＣパネルに埋設されたアンカー部とそれと係合する取付金具とを介して躯体に取り付けられており、前記取付金具は、ボルト挿通部が設けられた取付板と、その上部が延長して形成されている突出片と、この取付板の両側縁が折り曲げられて形成されたリブ片と、そのリブ片がさらに下方に垂下して形成されている垂下リブ片とから構成され、この垂下リブ片が躯体の垂直フランジ部に溶接固定されていることを特徴とする立上りＡＬＣ壁コーナー部の取付構造である。
【００１０】
なお、上記の各発明においては、既に説明したとおり、その取付金具として、ボルト挿通部が設けられた取付板と、その上部が延長して形成されている突出片と、この取付板の両側縁が折り曲げられて形成されたリブ片と、そのリブ片がさらに下方に垂下して形成されている垂下リブ片とから構成された取付金具を用い、この垂下リブ片が躯体の垂直フランジ部に溶接固定されている構造としている。
【００１１】
このような構造とすれば、取付金具の両側縁が折り曲げられてリブ片が形成されているとともに、さらに垂下リブ片がそのリブ片から下方に垂下して形成されているので取付金具の耐力が大幅に向上する。更に取付金具の上部がパネル内にめり込むのを防止でき、パネルの押圧力に対する耐力をより向上させることができる。
【００１２】
ＡＬＣパネルの上端面同士を連結する鋼材は、コーナー部のＡＬＣパネルの上端面に沿ってＬ型に折れ曲がった平板鋼であって、かつＬ型の一方の辺の長さが他の辺の長さよりも長い構造とすれば、鋼材がコーナー内側にはみ出すことがなく、しかも、鋼材が平板なのでその上に鋼製手摺柱等を溶接することが容易になる。また、鋼材は、長方形又は三角形の平鋼板であってもよい。
【００１３】
【発明の実施の形態】
以下、本発明の実施の形態をベランダを例にして図１〜図４に基づいて説明する。
図１に示すように、ＡＬＣパネル１，２は片方のパネル１の表面側端部１０に他方のパネル２の側面１１が突き合わされて直角のコーナー部を形成している。また、各ＡＬＣパネル１，２はその横幅方向の中心部位置に埋設されたアンカー部５，６とそれと係合する取付金具３を介して山形鋼２３、梁２４等から成る躯体４に取り付けられている。そして、通常は、梁２４の上面内側には、床用のＡＬＣパネル等（図示なし）を敷き込む。
その取付位置は各ＡＬＣパネル１，２の下部寄りと中間部の２カ所であって、かつ各ＡＬＣパネルの横幅方向の中心部の位置である。
【００１４】
なお、中間部取付位置は下部取付位置から３００ｍｍ以上離れており、中間部取付位置はその位置からパネル上端１２までの距離が、最大でも１５００ｍｍ以下であることが強度を保持するために好ましい。
また、本発明に使用するパネル１，２は、ベランダ、バルコニー等の場合、その高さが５００〜２０００ｍｍ、横幅が３００〜６００ｍｍ、厚みが８０〜１５０ｍｍ程度のものが好適であり、通常はパネル１，２を縦長にして使用される。
【００１５】
次ぎにパネルの中間部と下部の取付構造を詳細に説明する。
中間部取付構造は、ベランダ内面側に設けられた梁２４上に山形鋼２３が溶接固定されており、その山形鋼２３の垂直フランジ部１７の背面がパネル表面に当接するように設けられている。そして、この垂直フランジ部１７に取付金具３が溶接固定されており、その取付金具３とパネル内の中間部アンカー５とがボルト２２によって係合されてパネルが支持されている構造である。
【００１６】
下部寄りの取付構造は、パネルの下端面が梁２４から下方に張出して山形鋼２５に載置されており、その山形鋼２５の垂直フランジの内側面はパネル内側表面と当接するように設置・固定されている。そして、中間部取付構造と同様に、垂直フランジ部１７に溶接固定された取付金具３とパネル内の下部アンカー部６とがボルト２２によって係合されてパネルが支持されている構造である。
【００１７】
これらの山形鋼２３，２５の垂直フランジ部１７と取付金具３とは、以下の手段で溶接固定されている。
取付金具３は、図２に示すように、ボルト挿通部１８が設けられた取付板１３と、その上部が延長して形成されている突出片１４と、この取付板１３の両側縁が折り曲げられて形成されたリブ片１５と、そのリブ片１５がさらに下方に垂下して形成されている垂下リブ片１６とから構成されている。さらに取付板１３の厚みは山形鋼２３，２５の厚みとほぼ等しく、リブ片１５は取付板１３の両側縁を折り曲げて形成されたものであり、そのリブ片１５から垂下リブ片１６が下方に垂下して形成されているので、取付板１３の表面よりもその板の厚み分だけ段差を有している。
【００１８】
したがって、山形鋼２３，２５の垂直フランジ部１７に、前記段差を係合させてその部分を溶接固定すれば、取付板１３の表面と垂直フランジ部１７とがほぼ同一面となり、それにパネルを当てた際に段差や隙間が生ずることがなくなる。
また、上記突出片１４が存在することにより取付金具３がＡＬＣパネル１，２を押す面を広くとれ、また、上記突出片１４は、両側縁にリブ片１５が設けられておらず板状体となっているため、適度に撓みながらＡＬＣパネル１，２を押すので、取付板がパネル内にめり込まずに支えることができる。結果として、パネルの押圧力に対する耐力が向上する。
【００１９】
ＡＬＣパネル１，２内に埋設されるアンカー５，６は、図３に示すように、長尺の山形鋼９の中心部にナット１９が１個固着されており、その山形鋼９の長さがＡＬＣパネル１，２の横幅の１／３以上の長さを有している。このような構造とすれば、パネルのナット周辺部分のみに力が集中することがなくなるため、パネルの取付強度も大幅に向上する。また、ナット１９とは別に長尺の山形鋼９の中心部以外の場所にナット（図示なし）が固着されていてもよい。
【００２０】
次に、各ＡＬＣパネルの上端面の取付構造について詳細に説明する。
各ＡＬＣパネル１，２は、図４に示すように、その上端面１２に垂直な方向に縦孔８が開けられ、その縦孔８に係止棒２１が挿入されている。そして、この係止棒同士が鋼材７で連結されて、パネル上端面１２に沿うように取り付けられている。
縦孔８の位置は、パネルの突き合わせ面側のパネル側面２６，１１から８０ｍｍ〜３００ｍｍ離れていることがよい。より好ましくは１５０ｍｍ〜２５０ｍｍ離れているのが好ましい。すなわち、８０ｍｍ以下ではＡＬＣパネルはもろくて許容荷重が低いので、係止棒２１によって引っ張られるＡＬＣの肉厚を十分にとることが重要であり、また、３００ｍｍ以上であると鋼材７が大きくなり過ぎて、取付作業性が悪くなるとともにその効果も飽和状態となる。
【００２１】
この縦孔８に挿入する係止棒２１は、縦孔８よりも若干小さい外径を持ったものがよい。また、係止棒２１としては棒状のものの代わりに管状のものを使用してもよい。この係止棒２１の先端はプレス等により、数個の突起２７を突設させたものがより好ましい。これらの突起２７は、係止棒２１を縦孔８に挿入した際に、突起２７の先端部が縦孔８の内周壁面にくい込み得るような高さに設定される。このようにすれば係止棒２１が縦孔８に安定した状態で係合される。更に係止棒２１の基端側には、鋼材７を溶接するための円盤状の溶接用プレート２８が一体的に固定されている。そしてパネル上端面１２の入口部にはそのプレート２８が嵌入し得る凹所２９が穿設されている。
【００２２】
これらの係止棒２１は、その各溶接プレート２８と鋼材７とが溶接固定されて連結されている。鋼材７はＬ型に構成されているので、鋼材７がコーナー内側にはみ出すことがない。しかも、鋼材７が平板なのでその上に鋼製手摺柱等を溶接することも容易になる。さらに、ＡＬＣパネル１，２の幅に表面側端部１０と側面１１との隙間を足した分だけ鋼材７の一方の辺の長さが他の辺の長さよりも長く構成されている。そして、その長さは、縦孔８の位置に一致するように一辺の長さがおよそ８０〜３００ｍｍの範囲内にあることが取付面でも好ましい。このように構成することにより、パネル側面２６，１１から縦孔８の位置までの距離を同じにすることができる。以上のように、形状はＬ型に構成することが上記のようなメリットが生ずるが、長方形の平鋼板や三角形の平鋼板で構成しても構わない。
【００２３】
本発明の取付構造は以上のようにして完成されるが、さらに次のように構成すればコーナー部の取付強度がより向上する。
図４に示すように、ＡＬＣパネル１の表面側端部１０と他のＡＬＣパネル２の側面１１との突き合わせ部分に、半円筒状の凹条３１を形成させ、その凹条３１部分にモルタル３０によって目地鉄筋（図示なし）（又は別の埋込部材等）を埋設し、その目地鉄筋等からボルト３２を突出させておく。
一方、Ｌ型平鋼板のパネルの突き合わせ部に対応する位置に長孔３３を開けておき、その長孔３３にボルト３２を貫通させ、上からボルト３２にナット３４を螺合することにより、Ｌ型平鋼板をパネル上端面１２に係止する。
【００２４】
このような構成にすることにより、パネルが揺れても鋼材７がＡＬＣパネル１，２の上端面１２にぴったりくっついて、浮き上がることが全くなくなるので、パネル同士の連結がより強固になり、したがって、より頑丈な立上り壁のコーナー部の取付構造となる。
【００２５】
本発明の取付構造は、ベランダやバルコニー等の他に、壁パネルの高さが比較的低い部分、例えば屋上におけるパラペットや建物外部に設けられる廊下、階段等のコーナー部にも適用され、またその場合は手摺壁、腰壁等としてＡＬＣパネル１，２が取り付けられる。
【００２６】
【発明の効果】
以上のように、本発明の立上りＡＬＣ壁パネルコーナー部の取付構造によれば、コーナー部にＬ字型コーナーパネルを用いないで、平板状のＡＬＣ壁パネルのみで構成でき、しかも、各ＡＬＣパネルを横幅方向の中心部の下部と中間部との２カ所のみで取り付けても十分な取付強度が得られ、取付金具およびその取付作業を半減できる。したがって、パネルの上面や側面の部材を省略でき少ない部材で容易に取り付けることができるという、ＡＬＣ壁パネルの下部と中間部のみを支持してそのＡＬＣ壁パネルを躯体に取り付ける立上りＡＬＣ壁パネル構造の優位性を保ちながら十分な取付強度をもった構造となる。
【図面の簡単な説明】
【図１】本発明の立上りＡＬＣ壁コーナー部の取付構造を示す斜視図。
【図２】本発明に使用する取付金具を示す斜視図。
【図３】本発明に使用するアンカー部を示す斜視図。
【図４】本発明の立上りＡＬＣ壁コーナー部の取付構造の一部組立図を示す斜視図。
【図５】従来の立上りＡＬＣ壁コーナー部の取付構造を示す斜視図。
【符号の説明】
１  ＡＬＣパネル
２  ＡＬＣパネル
３  取付金具
４  躯体
５  中間部のアンカー部
６  下部のアンカー部
７  鋼材
８  縦孔
９  山形鋼
１０  表面側端部
１１  側面
１２  上端面
１３  取付板
１４  突出片
１５  リブ片
１６  垂下リブ片
１７  垂直フランジ部
１８  ボルト挿通部
１９  ナット
２０  Ｌ型の平板鋼
２１  係止棒
２８  円形プレート
【図１】
0003718556.tif 000002
【図２】
0003718556.tif 000003
【図３】
0003718556.tif 000004
【図４】
0003718556.tif 000005
【図５】
0003718556.tif 000006